(57)【要約】【課題】コネクタの小型化が可能となる端子構造及びコネクタを提供する。【解決手段】端子１１に形成され端子収容室２３の一つの規準内壁面３９に接する基板部１５と、基板部１５の軸線２５に沿う一対の縁部からそれぞれが折り曲げられ、規準内壁面３９を挟む一対の隣接内壁面４１に接するとともに折曲先端が規準内壁面３９と平行な対向内壁面４３に当接する一対の折曲片部１７と、基板部１５に形成され、対向内壁面４３から端子収容空間２１に突設された係止ランス６１が係止する係止部１９と、を備えた端子構造。【選択図】図７
2015220172.tif 000002
【特許請求の範囲】
【請求項１】
角柱状の端子収容空間を有するコネクタハウジングの端子収容室に設けられた係止ランスと係止される端子構造であって、
前記端子収容室の一つの規準内壁面に接する基板部と、
前記基板部の端子挿入方向に沿う一対の縁部からそれぞれが折り曲げられ、前記規準内壁面を挟む一対の隣接内壁面に接するとともに折曲先端が前記規準内壁面と平行な対向内壁面に当接する一対の折曲片部と、
前記基板部に形成され、前記対向内壁面から前記端子収容空間に突設された前記係止ランスが係止する係止部と、
を備えることを特徴とする端子構造。
【請求項２】
請求項１に記載の端子構造であって、
前記端子収容室への端子挿入方向前側となる一対の前記折曲片部の前端縁には、端子挿入方向前方へ突出して相互に接近離反方向に弾性変位自在な一対の電気接触片が延設されていることを特徴とする端子構造。
【請求項３】
請求項２に記載の端子構造であって、
一対の前記電気接触片の突出方向と反対側の前記基板部の後端部には、前記基板部から延出する第１導体接続片と、端子挿入方向に平行でかつ前記第１導体接続片に直交する第２導体接続片とが連設されることを特徴とする端子構造。
【請求項４】
請求項１〜３の何れか１項に記載の端子構造を有する端子と、複数の前記端子収容室の並び方向に平行な前記規準内壁面をそれぞれ有するコネクタハウジングと、を備えたコネクタであって、
前記基板部が、前記規準内壁面に接することを特徴とするコネクタ。
【請求項５】
請求項１〜３の何れか１項に記載の端子構造を有する端子と、複数の前記端子収容室の並び方向に直交する前記規準内壁面をそれぞれ有するコネクタハウジングと、を備えたコネクタであって、
前記基板部が、前記規準内壁面に接することを特徴とするコネクタ。
【発明の詳細な説明】
【技術分野】
【０００１】
本発明は、端子構造及びコネクタに関する。
【背景技術】
【０００２】
コネクタハウジングを小型化することができると共に、係止ランスによる保持力を向上することができるコネクタ端子が提案されている（例えば、特許文献１参照）。
図１０に示すように、このコネクタ端子５０１は、コネクタハウジング５０３の端子収容室５０５に収容される。端子収容室５０５に収容されたコネクタ端子５０１は、端子収容室５０５の内部に撓み可能に設けられた係止ランス５０７と係合される。コネクタ端子５０１は、端子収容室５０５の開口の側に配置される筒状の接続部５０９を有する。この接続部５０９には、被係合口５１１が設けられる。被係合口５１１は、係止ランス５０７の係合突部５１３が挿入され、この係合突部５１３に係合される。更に、被係合口５１１には、鋭角部を有する規制手段５１５が設けられている。規制手段５１５は、接続部５０９が端子収容室５０５から抜ける方向に移動されたとき、係止ランス５０７の係合突部５１３に食い込む。これにより、係合突部５１３が被係合口５１１から挿入解除方向へ移動することが規制される。
【先行技術文献】
【特許文献】
【０００３】
【特許文献１】特開２０１２−１９９０６９号公報
【発明の概要】
【発明が解決しようとする課題】
【０００４】
上述した従来のコネクタ端子５０１は、コネクタハウジング５０３の係止ランス５０７にコネクタ端子５０１の保持力を向上する構造を必要とすることがなく、コネクタハウジング５０３を小型化することができると共に、係止ランス５０７による保持力を向上することができる。
しかしながら、上記コネクタハウジング５０３の端子収容室５０５は、コネクタ端子５０１の外側に、係止ランス５０７を設置するためのスペースを確保する必要がある。このため、特に複数のコネクタ端子５０１をコネクタハウジング５０３に装着するコネクタでは、係止ランス５０７の数分設置スペースＳを確保しなければならず、依然、コネクタの小型化が課題として残っている。
【０００５】
本発明は上記状況に鑑みてなされたもので、その目的は、コネクタの小型化が可能となる端子構造及びコネクタを提供することにある。
【課題を解決するための手段】
【０００６】
本発明に係る上記目的は、下記構成により達成される。
（１）  角柱状の端子収容空間を有するコネクタハウジングの端子収容室に設けられた係止ランスと係止される端子構造であって、前記端子収容室の一つの規準内壁面に接する基板部と、前記基板部の端子挿入方向に沿う一対の縁部からそれぞれが折り曲げられ、前記規準内壁面を挟む一対の隣接内壁面に接するとともに折曲先端が前記規準内壁面と平行な対向内壁面に当接する一対の折曲片部と、前記基板部に形成され、前記対向内壁面から前記端子収容空間に突設された前記係止ランスが係止する係止部と、を備えることを特徴とする端子構造。
【０００７】
上記（１）の構成の端子構造によれば、基板部の一対の縁部には、それぞれ折曲片部が折り曲げ形成され、端子挿入方向に直交する断面形状が、Ｕ字形状となる。コネクタハウジングの端子収容室における角柱状の端子収容空間に挿入された基板部は、端子収容室の一つの規準内壁面に平行な状態で接する。この際、基板部に折り曲げ形成された一対の折曲片部は、規準内壁面を挟む一対の隣接内壁面に接する。また、折曲片部の折曲先端は、規準内壁面と平行な対向内壁面に当接する。従って、断面四角形の角柱状の端子収容空間に挿入された基板部は、基板部と折曲先端によって規準内壁面と対向内壁面との間での移動が規制される。また、基板部は、一対の折曲片部によって一対の隣接内壁面の間での移動が規制される。これにより、基板部は、端子挿入方向に交差する方向へのがたつきなく端子収容室に挿入される。
また、上記（１）の構成の端子構造では、コネクタハウジングの端子収容室において対向内壁面から端子収容空間に突設された係止ランスが、基板部と一対の折曲片部とで画成された端子内空間に突出して基板部の係止部を係止する。従って、端子収容室の端子収容空間に突設された係止ランスの設置スペースが、基板部と一対の折曲片部とで画成された端子内空間に吸収される。これにより、端子収容室を形成するコネクタハウジングは、係止ランスの設置スペース分の小型化が可能となる。
【０００８】
（２）  上記（１）の構成の端子構造であって、前記端子収容室への端子挿入方向前側となる一対の前記折曲片部の前端縁には、端子挿入方向前方へ突出して相互に接近離反方向に弾性変位自在な一対の電気接触片が延設されていることを特徴とする端子構造。
【０００９】
上記（２）の構成の端子構造によれば、相手端子と結合される際、相手端子の相手電気接触片がこの一対の電気接触片の間に挿入されると、一対の電気接触片の間に挿入された相手電気接触片は、表裏から電気接触片に弾接される。従って、振動等によって、相手電気接触片が、一対の電気接触片の一方に接近する方向に変位しても、他方の電気接触片が弾性復元力によって良好な接触状態を維持する。また、一対の電気接触片は、相手電気接触片の嵌合角度等に起因して、設計値以上に変形（拡開）されそうになると、端子収容室の一対の隣接内壁面に当接するので、過剰な変形が抑制される。従って、一対の電気接触片は、電気的な接触信頼性が損なわれることがない。
【００１０】
（３）  上記（２）の構成の端子構造であって、一対の前記電気接触片の突出方向と反対側の前記基板部の後端部には、前記基板部から延出する第１導体接続片と、端子挿入方向に平行でかつ前記第１導体接続片に直交する第２導体接続片とが連設されることを特徴とする端子構造。
【００１１】
上記（３）の構成の端子構造によれば、基板部が軸線を中心に、９０°の回転角度で回転された場合であっても、第１導体接続片または第２導体接続片のいずれか一方が、導体接続部として電線の導体に対して同一位置に配置可能となる。従って、基板部が組み付けられるコネクタハウジングの構成や、コネクタのサイズの制約などによって、端子収容室に挿着される基板部の向きを変えても、第１導体接続片または第２導体接続片には、電線の導体に対して同一条件で半田付けや熱溶着、圧着等の電気的な接続を行うことができる。
【００１２】
（４）  上記（１）〜（３）の何れか１つの構成の端子構造を有する端子と、複数の前記端子収容室の並び方向に平行な前記規準内壁面をそれぞれ有するコネクタハウジングと、を備えたコネクタであって、前記基板部が、前記規準内壁面に接することを特徴とするコネクタ。
【００１３】
上記（４）の構成のコネクタによれば、端子は、端子挿入方向に対して直交する方向における基板部の幅寸法よりも、折曲片部の高さ寸法が小さく形成される。そして、複数の端子収容室の並び方向に平行な各規準内壁面に対してそれぞれの基板部が接するように、各端子がそれぞれの端子収容室に挿着されることで、複数の端子収容室の並び方向に直交する方向におけるコネクタハウジングのハウジング高さ寸法を小さくすることできる。
【００１４】
（５）  上記（１）〜（３）の何れか１つの構成の端子構造を有する端子と、複数の前記端子収容室の並び方向に直交する前記規準内壁面をそれぞれ有するコネクタハウジングと、を備えたコネクタであって、前記基板部が、前記規準内壁面に接することを特徴とするコネクタ。
【００１５】
上記（５）の構成のコネクタによれば、端子は、端子挿入方向に対して直交する方向における基板部の幅寸法よりも、折曲片部の高さ寸法が小さく形成される。そして、複数の端子収容室の並び方向に直交する各規準内壁面に対してそれぞれの基板部が接するように、各端子がそれぞれの端子収容室に挿着されることで、複数の端子収容室の並び方向におけるコネクタハウジングのハウジング幅寸法を小さくすることできる。
【発明の効果】
【００１６】
本発明に係る端子構造及びコネクタによれば、コネクタを小型化できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】本発明の一実施形態に係る端子構造を備えた端子の斜視図である。
【図２】（ａ）〜（ｃ）は図１に示した端子の平面図、正面図及び側面図である。
【図３】（ａ）はコネクタハウジングの斜視図、（ｂ）は（ａ）の正面図、（ｃ）は（ｂ）のＡ−Ａ断面図である。
【図４】本実施形態に係る端子構造を備えた端子の打ち抜き形状を表した平面図である。
【図５】（ａ）は低背コネクタの端子挿入前の斜視図、（ｂ）は（ａ）の端子装着後の正面図、（ｃ）は低背コネクタをハウジング後部側から見た斜視図、（ｄ）は低背コネクタに装着された端子の導体接続状況を表した端子の斜視図である。
【図６】（ａ）は狭ピッチコネクタの端子挿入前の斜視図、（ｂ）は（ａ）の端子装着後の正面図、（ｃ）は狭ピッチコネクタをハウジング後部側から見た斜視図、（ｄ）は狭ピッチコネクタに装着された端子の導体接続状況を表した端子の斜視図である。
【図７】（ａ）は端子が装着されたコネクタハウジングの斜視図、（ｂ）は（ａ）のＢ−Ｂ断面図、（ｃ）は（ｂ）の拡大平面図である。
【図８】（ａ）はコネクタハウジングに装着された端子をハウジングの一部分を切り欠いて表した斜視図、（ｂ）は（ａ）を異なる方向から見た斜視図である。
【図９】コネクタハウジングに装着された端子に相手端子が挿入される状況を表した動作説明図である。
【図１０】従来のコネクタ端子をコネクタハウジングに収容したときの断面図である。
【発明を実施するための形態】
【００１９】
以下、本発明に係る実施形態を図面を参照して説明する。
図１及び図２に示すように、本発明の一実施形態に係る端子構造を備えた端子１１は、基板部１５と、折曲片部１７と、係止部１９と、を主要な構成として備える。
【００２０】
本実施形態に係る端子１１は、角柱状の端子収容空間２１を有するコネクタハウジング１３（図３参照）の端子収容室２３に対して、端子収容室２３の軸線２５に沿う端子挿入方向に挿入される。コネクタハウジング１３に形成される端子収容室２３は、ハウジング後端面２７では端子挿入口２９となって開口し、ハウジング前端面３１では相手端子受入口３３となって開口している。そして、これら端子１１とコネクタハウジング１３とが、コネクタ３５（図７参照）を構成する。端子１１は、導電性の金属板を打ち抜き加工して得た一枚の打ち抜きワーク３７を、折り曲げ加工して形成される（図４参照）。金属板の材質としては、銅合金やアルミニウム合金の他、特にバネ性をするリン青銅等を好適に用いることができる。
【００２１】
本実施形態に係るコネクタハウジング１３は、絶縁性の合成樹脂を射出成形することで得られる。図３は、２極の場合のコネクタハウジング１３を例示している。コネクタハウジング１３には、１極ごとに、一つの端子収容室２３が形成される。コネクタハウジング１３は、直方体形状に形成され、この直方体形状の長手方向に軸線２５を沿わす方向に角柱状の端子収容空間２１を有する２つの端子収容室２３が、軸線２５に直交する方向で並んで設けられている（並設されている）。なお、コネクタハウジング１３は、端子収容室２３を一つのみ備えるものであっても勿論よい。
【００２２】
本実施形態に係る端子１１は、基部としての基板部１５を有する。基板部１５は、端子収容室２３の一つの規準内壁面３９に平行な状態で接する。ここで、規準内壁面３９とは、端子１１が端子収容室２３に挿着された際、基板部１５が面接触する端子収容室２３の内壁面である。そこで、基板部１５が端子収容室２３の底壁面に接すれば、この底壁面が規準内壁面３９となる。また、基板部１５が端子収容室２３の側壁内面に接すれば、この側壁内面が規準内壁面３９となる。
【００２３】
本実施形態に係る基板部１５には、一対の平行な折曲片部１７が形成される。折曲片部１７は、基板部１５の端子挿入方向（軸線２５）に沿う一対の縁部からそれぞれが基板部１５に垂直となる同方向側に折り曲げられている。即ち、基板部１５と一対の折曲片部１７とは、軸線２５に直交する断面形状が、図２（ｂ）に示すように、Ｕ字形状となる。この折曲片部１７は、図３（ｂ）に示すように、端子収容室２３の規準内壁面３９を挟む一対の隣接内壁面４１に接する。また、一対の隣接内壁面４１に接したそれぞれの折曲片部１７は、折曲先端が規準内壁面３９と平行な対向内壁面４３（図７（ｃ）参照）に当接する。
【００２４】
本実施形態の端子１１には、端子収容室２３への端子挿入方向前側となる一対の折曲片部１７のそれぞれの前端縁４５に、一対の電気接触片４７が端子挿入方向前方へ突出して設けられている（延設されている）。一対の電気接触片４７の先端側には、相互に接近する方向に折り曲げられたＶ字状の接点部４９が形成されている。折曲片部１７の前端縁４５から延出したそれぞれの電気接触片４７は、バネ性を有して接点部４９が相互に接近離反方向に弾性変位自在となる。
【００２５】
本実施形態に係る端子構造を備えた端子１１は、図１に示したように、軸線２５に対して直交する方向における基板部１５の幅寸法Ｗ１よりも、折曲片部１７の高さ寸法Ｈ１が小さく形成される。また、端子１１における一対の電気接触片４７の幅寸法Ｗ２は、基板部１５の幅寸法Ｗ１よりも小さく形成されている。従って、それぞれの電気接触片４７と隣接内壁面４１との間には、電気接触片４７が外側に弾性変位可能な間隙５１が確保される（図９参照）。一対の電気接触片４７の間には、相手端子５３（図９参照）の相手電気接触片５５が挿入される。一対の電気接触片４７は、相手電気接触片５５が挿入されると、外側へ弾性変位する。この際、各電気接触片４７は、所定以上の変位量で変形すると、隣接内壁面４１に当接する。これにより、電気接触片４７は、過剰な変形が抑制され、永久歪みが残らない。
【００２６】
なお、本実施形態に係る端子構造を備えた端子１１は、端子接続部として一対の電気接触片４７を折曲片部１７に備える場合を例に説明している。この一対の電気接触片４７の間には、タブ状の相手端子５３が挿入される。つまり、本実施形態に係る端子１１は、所謂メス端子である。本発明に係る端子構造を備えた端子は、オス端子であってもよい。この場合、一対の電気接触片４７の代わりに、基板部１５から前方に突出するタブ端子が端子接続部として形成される。
【００２７】
更に、本実施形態の基板部１５には、図１及び図２（ａ）に示すように、端子挿入方向の前側に係止部１９が起立して設けられている。係止部１９は、図４に示すように、基板部１５に凹形状のブランク穴５７を形成し、内方の凸片５９を基板部１５に対し垂直に折り曲げることで形成される。従って、係止部１９は、基板部１５と折曲片部１７との双方に対し垂直となる。この係止部１９は、コネクタハウジング１３の対向内壁面４３から端子収容空間２１に突設された係止ランス６１が係止する。
【００２８】
本実施形態の係止ランス６１は、基端が端子収容室２３の対向内壁面４３に接続され、端子１１の挿入方向に向かって先端が突出する片持ち梁状となって形成されている。図３（ｃ）に示すように、係止ランス６１は、先端に向かって徐々に規準内壁面３９に接近するように傾斜して形成される。係止ランス６１の先端には、係止段部６３が形成される。係止ランス６１は、端子挿入口２９から端子１１が端子収容室２３に挿入されると、端子１１の係止部１９に押圧され、対向内壁面４３に接近する方向に移動される。端子１１が更に端子収容室２３内に挿入され、係止部１９が前進すると、係止段部６３が係止部１９を乗り越え、係止ランス６１が弾性により元の位置に復元することで、係止段部６３が係止部１９を挿入方向の後ろ側から係止する。これにより、端子１１は、端子収容室２３からの後抜けが規制される。
【００２９】
なお、端子収容室２３には、基板部１５の前端縁４６に対応する規準内壁面３９の位置に、図３（ｃ）に示すように、内方に膨出するストッパ部６５が形成される。端子１１は、図７（ｃ）に示すように、基板部１５の前端縁４６が、このストッパ部６５に当接することで、それ以上の挿入が規制される。
【００３０】
更に、本実施形態の端子１１は、一対の電気接触片４７の突出方向と反対側の基板部１５の後端部に、基板部１５から延出する第１導体接続片６９と、端子挿入方向（軸線２５）に平行でかつ第１導体接続片６９に直交する第２導体接続片７１とが連設されている。導体接続部としてのこれら第１導体接続片６９および第２導体接続片７１は、Ｌ字状に曲げ形成されている。第１導体接続片６９と第２導体接続片７１の内側の面は、電線７３（図５（ｄ）参照）の導体７５が半田付けや熱溶着、圧着等によって電気的に接続される十分な面積を有している。
【００３１】
本実施形態に係る端子構造を備えた端子１１は、基板部１５が水平面と平行となる姿勢（横置き）で低背ハウジング（コネクタハウジング）７９に装着されたり、基板部１５が水平面に垂直となる姿勢（縦置き）で狭ピッチハウジング（コネクタハウジング）８３に装着されたりすることができる。
図５（ａ）〜（ｃ）に示すように、端子１１が横置きで挿入される場合には、低背コネクタ７７が使用される。低背コネクタ７７は、低背ハウジング７９のハウジング高さ寸法Ｈを低く抑えたいときに使用されるコネクタである。
低背コネクタ７７に適用された端子１１は、端子挿入方向（軸線２５）が平行な同一方向となって低背ハウジング７９に並んで形成された複数の端子収容室２３の並び方向に平行な規準内壁面３９（底壁面）に、端子１１の基板部１５が平行な状態で接する。また、この場合、電線７３の導体７５は、図５（ｄ）に示すように、半田８０により第１導体接続片６９に半田付け等される。
【００３２】
一方、図６（ａ）〜（ｃ）に示すように、端子１１が縦置きで挿入される場合には、狭ピッチコネクタ８１が使用される。狭ピッチコネクタ８１は、狭ピッチハウジング８３のハウジング幅寸法Ｗ３を小さく抑えたいときに使用されるコネクタである。
狭ピッチコネクタ８１に適用された端子１１は、端子挿入方向（軸線２５）が平行な同一方向となって狭ピッチハウジング８３に並んで形成された複数の端子収容室２３の並び方向に直交する規準内壁面３９（側壁内面）に、端子１１の基板部１５が平行な状態で接する。また、この場合、電線７３の導体７５は、図６（ｄ）に示すように、半田８０により第２導体接続片７１に半田付け等される。
【００３３】
次に、図７〜図９を参照しながら上記の構成を有する端子構造の作用を説明する。
本実施形態に係る端子構造を備えた端子１１によれば、基板部１５の一対の縁部には、それぞれ折曲片部１７が折り曲げ形成され、端子挿入方向（軸線２５）に直交する断面形状が、Ｕ字形状となる（図２（ｂ）参照）。
【００３４】
図７に示すように、コネクタハウジング１３の端子収容室２３における角柱状の端子収容空間２１に挿入された端子１１の基板部１５は、端子収容室２３の一つの規準内壁面３９に平行な状態で接する。この際、基板部１５に折り曲げ形成された一対の折曲片部１７は、規準内壁面３９を挟む一対の隣接内壁面４１に接する。また、折曲片部１７の折曲先端は、規準内壁面３９と平行な対向内壁面４３に当接する。従って、断面四角形の角柱状の端子収容空間２１に挿入された端子１１の基板部１５は、基板部１５と折曲先端によって規準内壁面３９と対向内壁面４３との間での移動が規制される。また、端子１１の基板部１５は、一対の折曲片部１７によって一対の隣接内壁面４１の間での移動が規制される。これにより、端子１１の基板部１５は、端子挿入方向（軸線２５）に交差する方向へのがたつきなく端子収容室２３に挿入される。
【００３５】
また、断面形状がＵ字形状となった端子１１の基板部１５は、基板部１５と一対の折曲片部１７とで画成された空間が端子内空間８５となる。この端子内空間８５には、端子１１が端子収容室２３へ挿入される時に、図８に示すように、端子収容室２３の対向内壁面４３（図３（ｃ）参照）から端子収容空間２１へ突出する係止ランス６１が進入する。
本実施形態の端子構造を備えた端子１１では、コネクタハウジング１３の端子収容室２３において対向内壁面４３から端子収容空間２１に突設された係止ランス６１が、基板部１５と一対の折曲片部１７とで画成された端子内空間８５に突出して基板部１５の係止部１９を係止する。従って、端子収容室２３の端子収容空間２１に突設された係止ランス６１の設置スペースが、基板部１５と一対の折曲片部１７とで画成された端子内空間８５に吸収される。これにより、端子収容室２３を形成するコネクタハウジング１３は、係止ランス６１の設置スペース分の小型化が可能となる。
【００３６】
また、本実施形態に係る端子構造を備えた端子１１では、基板部１５の一対の縁部に折り曲げ形成されたそれぞれの折曲片部１７の前端縁４５に、電気接触片４７が端子１１の端子挿入方向前方へ突出して延設される。この一対の電気接触片４７は、相互に接近離反方向に弾性変位自在となる。そこで、端子１１は、相手端子５３と結合される際、図９に示すように、相手端子５３の相手電気接触片５５がこの一対の電気接触片４７の間に挿入されると、一対の電気接触片４７の間に挿入された相手電気接触片５５は、表裏から電気接触片４７に弾接される。即ち、表裏の２点で弾接する。従って、振動等によって、相手電気接触片５５が、一対の電気接触片４７の一方に接近する方向に変位しても、他方の電気接触片４７が弾性復元力によって良好な接触状態を維持する。これにより、振動発生時等においても一対の電気接触片４７の接触荷重が常に所定の値で確保され、瞬断の抑制が可能となる。
【００３７】
また、一対の電気接触片４７は、相手電気接触片５５の嵌合角度等に起因して、設計値以上に変形（拡開）されそうになると、端子収容室２３の一対の隣接内壁面４１に当接するので、過剰な変形が抑制される。これにより、電気接触片４７は、過大変位や開きが抑制される。
従って、一対の電気接触片４７は、相手電気接触片５５に対する電気的な接触信頼性が損なわれることがない。
【００３８】
また、本実施形態に係る端子構造を備えた端子１１では、端子１１の後端部に、基板部１５から延出する第１導体接続片６９と、端子挿入方向（軸線２５）に平行でかつ第１導体接続片６９に直交する第２導体接続片７１とが連設されている（図１参照）。端子１１の基板部１５が軸線２５を中心に、９０°の回転角度で回転された場合であっても、第１導体接続片６９または第２導体接続片７１のいずれか一方が、導体接続部として電線７３の導体７５に対して同一位置に配置可能となる。
【００３９】
従って、図５及び図６に示したように、端子１１が組み付けられる低背ハウジング７９及び狭ピッチハウジング８３の構成や、低背コネクタ７７や狭ピッチコネクタ８１等のサイズの制約などによって、端子収容室２３に挿着される基板部１５の向きを変えても、第１導体接続片６９または第２導体接続片７１には、電線７３の導体７５に対して同一条件で半田付けによる電気的な接続を行うことができる。
【００４０】
また、本実施形態に係る低背コネクタ７７によれば、端子１１は、端子挿入方向（軸線２５）に対して直交する方向における基板部１５の幅寸法Ｗ１よりも、折曲片部１７の高さ寸法Ｈ１が小さく形成される。そして、図５に示すように、複数の端子収容室２３の並び方向に平行な各規準内壁面３９に対してそれぞれの基板部１５が平行な状態で接するように、各端子１１がそれぞれの端子収容室２３に横置きで挿着されることで、複数の端子収容室２３の並び方向に直交する方向における低背ハウジング７９のハウジング高さ寸法Ｈ１を小さくすることできる。
【００４１】
また、本実施形態に係る狭ピッチコネクタ８１によれば、図６に示すように、複数の端子収容室２３の並び方向に直交する各規準内壁面３９に対してそれぞれの基板部１５が平行な状態で接するように、各端子１１がそれぞれの端子収容室２３に縦置きで挿着されることで、複数の端子収容室２３の並び方向における狭ピッチハウジング８３のハウジング幅寸法Ｗ３を小さくすることできる。
【００４２】
従って、本実施形態に係る端子構造及びコネクタ３５、低背コネクタ７７、狭ピッチコネクタ８１によれば、コネクタを小型化できる。
【００４３】
ここで、上述した本発明に係る端子構造及びコネクタの実施形態の特徴をそれぞれ以下に簡潔に纏めて列記する。
［１］  角柱状の端子収容空間２１を有するコネクタハウジング１３の端子収容室２３に設けられた係止ランス６１と係止される端子構造であって、前記端子収容室２３の一つの規準内壁面３９に接する基板部１５と、前記基板部１５の端子挿入方向に沿う一対の縁部からそれぞれが折り曲げられ、前記規準内壁面３９を挟む一対の隣接内壁面４１に接するとともに折曲先端が前記規準内壁面３９と平行な対向内壁面４３に当接する一対の折曲片部１７と、前記基板部１５に形成され、前記対向内壁面４３から前記端子収容空間２１に突設された前記係止ランス６１が係止する係止部１９と、を備えることを特徴とする端子構造。
［２］  上記［１］の構成の端子構造であって、前記端子収容室２３への端子挿入方向前側となる一対の前記折曲片部１７の前端縁４５には、端子挿入方向前方へ突出して相互に接近離反方向に弾性変位自在な一対の電気接触片４７が延設されていることを特徴とする端子構造。
［３］  上記［２］の構成の端子構造であって、一対の前記電気接触片４７の突出方向と反対側の前記基板部１５の後端部には、前記基板部１５から延出する第１導体接続片６９と、端子挿入方向に平行でかつ前記第１導体接続片６９に直交する第２導体接続片７１とが連設されることを特徴とする端子構造。
［４］  上記［１］〜［３］の何れか１つの構成の端子構造を有する端子１１と、複数の前記端子収容室２３の並び方向に平行な前記規準内壁面３９をそれぞれ有するコネクタハウジング（低背ハウジング）７９と、を備えたコネクタ（低背コネクタ）７７であって、前記基板部１５が、前記規準内壁面３９に接することを特徴とするコネクタ（低背コネクタ）７７。
［５］  上記［１］〜［３］の何れか１つの構成の端子構造を有する端子１１と、複数の前記端子収容室２３の並び方向に直交する前記規準内壁面３９をそれぞれ有するコネクタハウジング（狭ピッチハウジング）８３と、を備えたコネクタ（狭ピッチコネクタ）８１であって、前記基板部１５が、前記規準内壁面３９に接することを特徴とするコネクタ（狭ピッチコネクタ）８１。
【００４４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４５】
１１…端子
１３…コネクタハウジング
１５…基板部
１７…折曲片部
１９…係止部
２１…端子収容空間
２３…端子収容室
２５…軸線
３５…コネクタ
３９…規準内壁面
４１…隣接内壁面
４３…対向内壁面
４５…前端縁
４７…電気接触片
６１…係止ランス
６９…第１導体接続片
７１…第２導体接続片
【図１】
2015220172.tif 000003
【図２】
2015220172.tif 000004
【図３】
2015220172.tif 000005
【図４】
2015220172.tif 000006
【図５】
2015220172.tif 000007
【図６】
2015220172.tif 000008
【図７】
2015220172.tif 000009
【図８】
2015220172.tif 000010
【図９】
2015220172.tif 000011
【図１０】
2015220172.tif 000012